(57)【要約】【課題】簡単な構造で、安全に設置作業が行えるエアコンディショナの設置方式を提供することを目的としている。【解決手段】エアコンディショナは、キャビネットの下部に設置することにより、キャビネットの天井や側面に取り付ける場合と比べて、重いエアコンディショナを持ち上げたりする手間が省け、安全に設置作業が行え、エアコンディショナをキャビネットから突出させることなく美観を保ったまま設置できることを特徴とする。【選択図】図１
2008116093.tif 000002
【特許請求の範囲】
【請求項１】
各種電気機器・通信機器を収納するキャビネットの、内部の温度上昇を抑えるためのエアコンディショナ設置方式であって、前記エアコンディショナは、前記キャビネットの下部に設置することを特徴とするエアコンディショナ設置方式。
【請求項２】
前記エアコンディショナ設置方式であって、前記エアコンディショナを前記キャビネットの下部に設置される架台に収納することを特徴とする請求項１に記載のエアコンディショナ設置方式。
【請求項３】
前記エアコンディショナ設置方式であって、前記架台の側面のうち少なくともいずれか一面に開口を設け、前記エアコンディショナが前記開口より摺動動作により引き出し可能であることを特徴とする請求項２に記載のエアコンディショナ設置方式。
【発明の詳細な説明】
【技術分野】
【０００１】
本発明は、各種電気機器・通信機器を収納するキャビネットの、内部の温度上昇を抑えるためのエアコンディショナ設置方式に関するものである。
【背景技術】
【０００２】
各種電気機器・通信機器を収納するキャビネット３１にエアコンディショナ３２等の冷却装置を設置する場合には、キャビネット３１の天井面や側面に開口３３を設け、開口３３から吸排気するように取り付けられていた。
【０００３】
また、ラックの下部に吸気用ファンを、天井部に排気用ファンを取り付けてキャビネット内部の空気を循環させていた。
【特許文献１】特開２００４−５５８８３号公報
【０００４】
エアコンディショナはキャビネットの内部からねじ固定されていた。メンテナンス等の作業時には内側からねじを緩め、キャビネットからエアコンディショナを取り外していた。
【発明の開示】
【発明が解決しようとする課題】
【０００５】
しかしながら、上記従来技術におけるエアコンディショナの設置方法では、重量が数十kgある重い装置を天井まで一人で持ち上げるのは大変危険であり、エアコンディショナの設置に複数人数が必要であった。また、キャビネットの外側に取り付けられるので、見栄えが悪い上、キャビネットの幅方向にエアコンディショナの取り付け用のスペースが必要であった。
【０００６】
また、メンテナンス時にキャビネットからエアコンディショナを取り外す場合に、ねじを緩めるための工具をキャビネットの内部へ差し込まなくてはならないが、キャビネット内部に機器が装着されている場合には、工具を差し込むスペースが確保しにくいことがあり、作業が困難であり、作業の人員を増やしたりすることが必要であった。
【課題を解決するための手段】
【０００７】
そこで本発明は、簡単な構造で、安全に設置作業が行えるエアコンディショナの設置方式を提供することを目的とし、その構造は、エアコンディショナは、キャビネットの下部に設置することを特徴とする。
【０００８】
また、エアコンディショナをキャビネットの下部に設置される架台に収納することを特徴とする。
【０００９】
また、架台の側面のうち少なくともいずれか一面に開口を設け、エアコンディショナが開口より摺動動作により引き出し可能であることを特徴とする。
【発明の効果】
【００１０】
本発明に係るエアコンディショナ設置方式は、エアコンディショナをキャビネットの下部に設置するため、キャビネット全体の見栄えがよく、キャビネットの幅や奥行き方向にエアコンディショナが突出しないので省スペースで設置することが可能である。また、重いエアコンディショナを天井もしくは側面に持ち上げる作業が必要なくなるので、安全にまた簡単にキャビネットにエアコンディショナを設置することができる。
【００１１】
また、エアコンディショナをキャビネットの下部に設置される架台に収納するため、キャビネット全体の見栄えがよく、キャビネットの幅や奥行き方向にエアコンディショナが突出しないので省スペースで設置することが可能である。また、重いエアコンディショナを天井もしくは側面に持ち上げる作業が必要なくなるので、安全にまた簡単にキャビネットにエアコンディショナを設置することができる。
【００１２】
また、架台の側面のうち少なくともいずれか一面に開口を設け、エアコンディショナが開口より摺動動作により引き出し可能であるため、エアコンディショナのメンテナンス等の作業時間や作業人員の大幅な短縮を図ることができる。
【発明を実施するための最良の形態】
【００１３】
本発明に係るキャビネットのエアコンディショナ設置方式を図１〜図４の添付図面に基いて説明する。
【００１４】
キャビネット１にはラックマウント形式の電子機器や通信機器が取り付けられる。機器の動作に伴い、温度が上昇するため、キャビネット１内は、換気をして温度上昇を抑制する。その際、使用されるものは、換気ファンや、エアコンディショナ等が挙げられるが、本発明は、キャビネット１にエアコンディショナ２を取り付ける際の設置方式に関する。
【００１５】
キャビネット１内部を冷却する目的で設置されるエアコンディショナ２の設置位置をキャビネット１の下部とする。
【００１６】
エアコンディショナ２は重量があり、従来のように、キャビネット１の側面や天井面に取り付ける場合には、重いエアコンディショナ２を高い位置まで持ち上げなくてはならなかったが、本発明では、キャビネット１の下部にエアコンディショナ２を設置するので、持ち上げる作業は必要なくなる。また、エアコンディショナ２を下部に設置することでキャビネットを安定して据付ができる。
【００１７】
エアコンディショナ２の設置方式としては、キャビネット１の下部に架台３を設けることもがある。キャビネット１の底面と架台３の上面には通気孔（図示せず）を形成する。架台３にエアコンディショナ２を収納し、通気孔へ冷風を送り出しキャビネット１内部を冷却する。
【００１８】
架台３をキャビネット１の寸法に合わせて製作すると、全体の見栄えが良くなると共に、キャビネット１から突出する部分がなくなり、省スペースに設置が可能となる。
【００１９】
図２に示すように、キャビネット１には、従来、エアコンディショナを取り付けるために天井４や側面５に取り付け開口６を設けていた。そのキャビネット１をそのまま用いた場合には、キャビネット１内部への機器取り付け作業や設置後の機器保守作業の際に、取り付け開口６を開放して作業することができる。
【００２０】
図３に示すように、架台３の前面に開口７を設け、開口７はパネル８で施蓋する。例えば、エアコンディショナ２はレール等によりスライド動作により架台３の外に引き出し可能とする。エアコンディショナ２を架台３に収納する場合には、前面開口７をパネル８で施蓋し、エアコンディショナ２のメンテナンス時には、パネル８を開放してエアコンディショナ２を引き出す。従来のエアコンディショナをキャビネットから取り外す作業に比べ、大幅な省力化を図ることができる。
【００２１】
図４に示すように、架台３の開口７は、前面にのみに限定せず、キャビネット１の設置場所に合わせて、壁際でない方向に設けることもできる。レールの取り付け方向も共に変更し、エアコンディショナ２をいずれの方向にも引き出し可能とすることもできる。
【産業上の利用可能性】
【００２２】
キャビネット内部の温度上昇を抑制するためのエアコンディショナをキャビネットの下部に配置することで、キャビネットの幅や奥行き方向にエアコンディショナを突出させずに、省スペース且つ見栄えもよく設置できる。
【図面の簡単な説明】
【００２３】
【図１】本発明に係るエアコンディショナ設置方式を示す説明図である。
【図２】本発明に係るエアコンディショナ設置方式を示す説明図である。
【図３】本発明に係るエアコンディショナ設置方式を示す説明図である。
【図４】本発明に係るエアコンディショナ設置方式を示す説明図である。
【図５】従来のエアコンディショナ設置方式を示す説明図である。
【図６】従来のエアコンディショナ設置方式を示す説明図である。
【符号の説明】
【００２４】
１    キャビネット
２    エアコンディショナ
３    架台
４    天井
５    側面
６    取り付け開口
７    開口
８    パネル
【図１】
2008116093.tif 000003
【図２】
2008116093.tif 000004
【図３】
2008116093.tif 000005
【図４】
2008116093.tif 000006
【図５】
2008116093.tif 000007
【図６】
2008116093.tif 000008